(57)【要約】【課題】光ピックアップが外部に露出するタイプの対物レンズを対象に、光ピックアップ対物レンズをクリーニングし、拡大レンズでクリーニング状態を確認する事ができる光ピックアップレンズクリーナー。【解決手段】透明なクリーニングディスク１中心に中心孔２及びその上面にリング状のツマミ４を設けた該透明クリーニングディスク１のリードイン部位置に清掃部材３を設け、該清掃部材３の中心円周線上の任意の位置に透明なレンズホルダー取り付けリング８を形成、該取り付けリング８に、フレンネルレンズ５の突起部６ａ、６ｂを介しレンズホルダー７上部に形成され、該レンズホルダー７を取り付け構成されている。【選択図】図１
2007299504.tif 000002
【特許請求の範囲】
【請求項１】
光ピックアップの対物レンズをクリーニングするレンズクリーナーにあって、クリーニングディスクを回転させる事なく、手動にてクリーニングするクリーナーであって、手動にて回転させる為クリーニングディスク中央部へ円形状のツマミを設け、該クリーニングディスクをＣＤ、ＤＶＤ、ゲーム機などの各再生装置からＰＣドライブまで含め、それぞれの再生装置がドライブ本体から光ピックアップが外部へ露出するタイプの対物レンズの汚れをクリーニングする為に、該レンズクリーナーを各再生装置のトレー中心部へ装填後、手動により対物レンズ上で弧を描くように往復させてクリーニングするよう構成されており、該手動式レンズクリーナーにはリードイン部の位置へフレキシブルな状態を有する清掃部材（例えばブラシ等）を、クリーニング用ディスクの対物レンズと相対する面側へ少なくとも一つ叉は一つ以上設け、更に同位置又は別の位置に光ピックアップの対物レンズ表面を拡大し見やすくする為に、拡大レンズを設けたことを特徴とする光ピックアップレンズクリーナー。
【請求項２】
クリーニングディスクを、ＣＤ、ＤＶＤプレーヤ、ＰＣドライブ等各再生装置のトレー中心部へ装填を容易にする為、前記クリーニングディスクを透明にした事を特徴とする請求項１記載の光ピックアップレンズクリーナー。
【請求項３】
前記光ピックアップ対物レンズ表面を拡大する為のレンズが、フラット形状のフレンネルレンズであって、該フレンネルレンズを透し、光ピックアップ対物レンズを上部斜め横から覗くように見た場合であっても、見易いよう透明クリーニングディスク表面に設けるフレンネルレンズに斜に角度を付け、且つ対物レンズが数倍程度拡大して見えるよう、前記透明クリーニングディスク表面より適度に離して取り付けた事を特徴とする請求項１及び２記載の光ピックアップレンズクリーナー。
【請求項４】
前記光ピックアップ対物レンズ表面を拡大するためのレンズが真上、或いは円周方向に対して前後方向の斜めからでも見易くなるよう、レンズの角度を水平、或いは斜めに可変できる構造にしたことを特徴とする請求項１〜３記載の光ピックアップレンズクリーナー。
【発明の詳細な説明】
【発明が属する技術分野】
【０００１】本発明は、コンピュータ用記憶メディアＣＤ−ＲＯＭ、及び映像メディアＤＶＤ等に使用されている光ピックアップ対物レンズのクリーニングに関するものである。
【背景技術】
【０００２】光ピックアッブレンズクリーニング用のディスクには、従来から光ディスク及ぴ光磁気ディスク等が用いられており、これらディスクのＴＯＣエリア近傍又はプログラムエリア内周近傍に光ピックアップレンズ清掃用のクリーニング部材が少なくとも１つ設けられている。このクリーナーを再生装置でプレーすることによりクリーニングディスクが回転し対物レンズとブラシが接触することでクリーニングを行う。
【発明が解決しようとする課題】
【０００３】しかしこのようにディスクが回転することでクリーニングする方式では、クリーニングディスクに設けられたブラシが対物レンズ以外のプレーヤ内部のメカ及びトレー等にも接触する場合が考えられ、その結果メカ部やトレーの汚れがブラシに付着し、その汚れ等が今度は対物レンズに付くこととなり逆効果となる場合がある。
【課題を解決する手段】
【０００４】本発明は、光ピックアップが外部に露出するタイプの対物レンズを対象に、前記した課題を解決するものでクリーニングディスクを回転させる事なく、手動でクリーニングするクリーナーで、クリーニングディスク中心の上面にリング状のツマミを設け、リードイン部の位置に清掃部材（例えばブラシ等）を、クリーニングディスクが対物レンズと相対する面へ少なくとも一つ叉は一つ以上設け、更に同位置叉は別の位置に光ピックアップの対物レンズ表面を拡大しクリーニング前の汚れ、クリーニング後の状態を見やすくする為のレンズを設け、前記光ピックアップ対物レンズ表面を真上、或いは円周方向に対して前後方向の斜めからでも見易くなるよう、レンズの角度を水平、或いは斜めに可変できる様フレキシブルな動作を可能にしている。
【０００５】又、クリーニングディスクを、再生装置のスピンドルに装填する時、及びクリーニングする光ピックアップ対物レンズの位置等が容易に透視出来るよう、前記クリーニングディスク、ツマミ、レンズホルダー等はすべて透明で構成している。
【発明の実施と形態】
【０００６】本発明の構成を図１及び図２によって説明する。
透明なクリーニングディスク１中心に中心孔２及びその上面にリング状のツマミ４を設けた該透明クリーニングディスク１のリードイン部位置に清掃部材３を設け、該清掃部材３の中心円周線上の任意の位置に透明なレンズホルダー取り付けリング８を形成、該取り付けリング８に、フレンネルレンズ５の突起部６ａ、６ｂを介しレンズホルダー７上部に形成され、該レンズホルダー７を取り付け構成されている。
【実施例】
【０００７】本発明の実施例を図１〜図６によって説明する。
光ピックアップ装置のふた１２をあけトレー９に配置されたスピンドル１１に透明なクリーニングディスク１の中心孔２をセットする。
光ピックアップ対物レンズ１０のクリーニングは清掃部材３をリング状のツマミ４を操作し光ピックアップ対物レンズ１０を清掃部材３が、弧を描くようにクリーニングする。クリーニング終了後は、前記リング状ツマミ４を再度操作し、フレンネルレンズ５を光ピックアップ対物レンズ１０の略真上にセットし、該光ピックアップ対物レンズ１０がフレンネルレンズ５で見やすいようにレンズホルダー７を回転、又フレンネルレンズ５を上下させ調整しクリーニング状態を確認する。
【発明の効果】
【０００８】本発明は、以上説明したような形態で実施され、以下に記載されるような効果を得られる。
【０００９】クリーニングディスクが透明な為、光ピックアップ対物レンズの位置が確認でき、該光ピックアップ対物レンズのクリーニングが容易にできる。従ってクリーニング時にトレー周辺のホコリ等をまき散らす事がない。
【００１０】クリーニング状態がレンズを透し容易に確認出来る為、きめ細かいクリーニングが可能である。
【図面の簡単な説明】
【図１】本発明の、クリーニングディスクを示す平面図。
【図２】本発明の、クリーニングディスクを示す正面図。
【図３】本発明の、クリーニングディスクに取り付けた清掃部材が光ピックアップ対物レンズのクリーニングを実施する状態を示す平面図。
【図４】本発明の、クリーニングディスクに取り付けたフレンネルレンズをピックアップ対物レンズにセットした状態を示す平面図。
【図５】本発明の、クリーニングディスクに取り付けたフレンネルレンズの実施例を示す部分断面図。
【図６】本発明の、クリーニングディスクに取り付けたフレンネルレンズの実施例を示す部分断面図。
【符号の説明】
１：クリーニングディスク
２：中心孔
３：清掃部材
４：リング状ツマミ
５：フレンネルレンズ
６ａ６ｂ：突起部
７：レンズホルダー
８：レンズホルダー取り付けリング
９：トレー
１０：光ピックアップ対物レンズ
１１：スピンドル
１２：ふた
【図１】
2007299504.tif 000003
【図２】
2007299504.tif 000004
【図３】
2007299504.tif 000005
【図４】
2007299504.tif 000006
【図５】
2007299504.tif 000007
【図６】
2007299504.tif 000008